(57)【要約】【課題】  破壊の可能性の少ない構造を有する取引装置を提供する。【解決手段】  識別可能な第１の識別情報（例えば、数字）と、該第１の識別情報とは異なる第２の識別情報（例えば、金額情報）とを対にして画像表示する表示面１１１ａと、表示面１１１ａを覆う保護部材１１２とを含んで構成される表示手段１１０と；表示手段１１０に重ならないように隣接して配設され、第１の識別情報が表示された選択手段１２０と；第１の識別情報と第２の識別情報とを関連づけて記憶する記憶手段７０と；選択手段１２０で選択される第１の識別情報に基づいて第２の識別情報を記憶手段７０から読み出す制御手段６０とを備えるので、破壊の可能性の少ない構造を有する取引装置を提供することができる。【選択図】  図１
2007065845.tif 000002
【特許請求の範囲】
【請求項１】
識別可能な第１の識別情報と、該第１の識別情報とは異なる第２の識別情報とを対にして画像表示する表示面と、前記表示面を覆う保護部材とを含んで構成される表示手段と；
前記表示手段に重ならないように隣接して配設され、前記第１の識別情報が表示された選択手段と；
前記第１の識別情報と前記第２の識別情報とを関連づけて記憶する記憶手段と；
前記選択手段で選択される前記第１の識別情報に基づいて前記第２の識別情報を前記記憶手段から読み出す制御手段とを備える；
取引装置。
【請求項２】
券を取り引きする取引装置であって；
前記第１の識別情報は、数字又はアルファベットであり、
前記第２の識別情報は、前記取り引きされる券の料金に対応した金額情報を含み、
前記制御手段は、前記第２の識別情報を前記記憶手段から読み出す際には、前記金額情報を読み出す、
請求項１に記載の取引装置。
【請求項３】
前記第２の識別情報は、行き先を示す行き先情報を含む、
請求項１又は請求項２に記載の取引装置。
【請求項４】
前記記憶手段に記憶される前記第２の識別情報は書き換え可能である、
請求項１乃至請求項３のいずれか１項に記載の取引装置。
【発明の詳細な説明】
【技術分野】
【０００１】
本発明は、取引装置に関し、特に破壊の可能性の少ない構造を有する取引装置に関する。
【背景技術】
【０００２】
従来から取引装置、例えば、入場券、乗車券、指定券等を発売する自動販売機では、乗車券等の購入は、表示されている行き先（または料金）を選択することにより行われている。このような、自動販売機は、例えば、行き先（または料金）が表示された液晶ディスプレイとタッチパネルとの組み合わせからなる乗車券選択手段を備えるものがあった。
通常、利用者は、タッチパネルの、液晶ディスプレイに表示されている行き先（または料金）に対応する箇所を触れることで乗車券を購入することができる（例えば、特許文献１参照。）。
【特許文献１】特開２００２−３５２２８０号公報  （第３−４頁、第１図）
【発明の開示】
【発明が解決しようとする課題】
【０００３】
しかしながら、このような従来の取引装置では、例えば、乗車券の購入の際にタッチパネルを強く押しつけたり、悪戯により液晶ディスプレイやタッチパネルが破壊されることがあり、液晶ディスプレイやタッチパネルの交換に高い費用がかかる場合があった。
【０００４】
そこで、本発明は、破壊の可能性の少ない構造を有する取引装置を提供することを目的とする。
【課題を解決するための手段】
【０００５】
上記目的を達成するために、請求項１に係る発明による取引装置は、例えば図１又は図２に示すように、識別可能な第１の識別情報（例えば、数字）と、該第１の識別情報とは異なる第２の識別情報（例えば、金額情報）とを対にして画像表示する表示面１１１ａと、表示面１１１ａを覆う保護部材１１２とを含んで構成される表示手段１１０と；表示手段１１０に重ならないように隣接して配設され、第１の識別情報が表示された選択手段１２０（例えば、図３も参照）と；第１の識別情報と第２の識別情報とを関連づけて記憶する記憶手段７０と；選択手段１２０で選択される第１の識別情報に基づいて第２の識別情報を記憶手段７０から読み出す制御手段６０とを備えるように構成される。
【０００６】
このように構成すると、表示手段は、第１の識別情報と第２の識別情報とを対にして画像表示する表示面を覆う保護部材を含んで構成されるので表示面を保護することができる。さらに、第１の識別情報が表示された選択手段は、表示手段に重ならないように隣接して配設される。記憶手段は、第１の識別情報と第２の識別情報とを関連づけて記憶し、制御手段は、選択手段で選択される第１の識別情報に基づいて第２の識別情報を記憶手段から読み出すので、破壊の可能性の少ない構造を有する取引装置を提供することすることができる。
【０００７】
また請求項２に記載のように、請求項１に記載の取引装置では、例えば図３に示すように、券を取り引きする取引装置であって；第１の識別情報は、数字又はアルファベットであり、第２の識別情報は、取り引きされる券の料金に対応した金額情報を含み、制御手段６０（例えば、図５参照）は、第２の識別情報を記憶手段から読み出す際には、金額情報を読み出すように構成してもよい。
【０００８】
このように構成すると、第１の識別情報は、数字又はアルファベットであり、第２の識別情報は、取り引きされる券の料金に対応した金額情報を含む。したがって、典型的には、第１の識別情報は、第２の識別情報よりも小さい面積で表示することのできる情報であることから、第１の識別情報を表示する選択手段をより小さくすることができる。これにより、表示手段の表示面をより大きくすることができ、取り引きに関する情報を利用者に対してより視認しやすいように表示することができる。また、多数の選択手段を配設することができる。
【０００９】
また請求項３に記載のように、請求項１又は請求項２に記載の取引装置では、例えば図７に示すように、第２の識別情報は、行き先を示す行き先情報を含むように構成してもよい。
【００１０】
このように構成すると、表示手段に第１の識別情報と、当該第１の識別情報に対応する第２の識別情報としての行き先情報を表示することができるので、例えば、利用者は、表示手段とは別体に構成される情報表示手段（例えば、駅の料金案内板）等を確認する必要がないため、利用者に煩わしさを感じさせることがない。なお、行き先情報は、例えば、金額情報に対応した情報である
【００１１】
また請求項４に記載のように、請求項１乃至請求項３のいずれか１項に記載の取引装置では、例えば図５に示すように、記憶手段７０に記憶される第２の識別情報は書き換え可能であるように構成してもよい。
【００１２】
このように構成すると、例えば、取引装置での取り引きの内容を変更する際は、記憶手段に記憶されている第２の識別情報を書き換えるだけでよいので、容易に対応することができる。なお、第１の識別情報も同様に書き換え可能に構成しても良い。
【発明の効果】
【００１３】
以上のように本発明によれば、識別可能な第１の識別情報と、該第１の識別情報とは異なる第２の識別情報とを対にして画像表示する表示面と、表示面を覆う保護部材とを含んで構成される表示手段と、表示手段に重ならないように隣接して配設され、第１の識別情報が表示された選択手段と、第１の識別情報と第２の識別情報とを関連づけて記憶する記憶手段と、選択手段で選択される第１の識別情報に基づいて第２の識別情報を記憶手段から読み出す制御手段とを備えるので、破壊の可能性の少ない構造を有する取引装置を提供することすることができる。
【発明を実施するための最良の形態】
【００１４】
以下、本発明の実施の形態について、図面を参照して説明する。なお、各図において互いに同一あるいは相当する部材には同一符号を付し、重複した説明は省略する。
【００１５】
図１は、本発明の実施の形態に係る取引装置としての自動券売機１の外観図であり、（ａ）は正面図（後述する接客部１０側の図）、（ｂ）は背面図である。自動券売機１は、利用者の操作を受け付ける接客部１０と、内部が空洞で略直方体状に形成され、外側の面に接客部１０が形成された筐体２０と、筐体２０内部に収納され、貨幣としての硬貨、紙幣、カード状の媒体等を処理する貨幣処理装置３０とを備える。貨幣処理装置３０は、硬貨を受け付けて処理する硬貨処理装置３１と、紙幣を受け付けて処理する紙幣処理装置３２と、カード状の媒体を受け付けて処理するカード処理装置３３を含んで構成される。自動券売機１は、さらに、係員の操作を受け付ける係員操作部４０、乗車券を発行する発券装置５０、自動券売機１の各部を制御する制御部６０を備える。
以下、上記各構成について詳細に説明する。
【００１６】
ここで、本実施の形態では、自動券売機１は、券を取り引きする取引装置であり、典型的には、駅等に配設され、入場券、乗車券、指定券等を自動で販売するものである。また、ここでは、硬貨は、１円硬貨、５円硬貨、１０円硬貨、５０円硬貨、１００円硬貨、５００円硬貨、メダル、トークン等を広く含む概念である。なおここでいうトークンとは、いわゆる代用硬貨であり、例えば樹脂製の外壁で内部にＩＣチップが埋め込まれているものも含む。本実施の形態では、硬貨は１０円硬貨、５０円硬貨、１００円硬貨、５００円硬貨の場合で説明する。なお、これらを特に区別しない場合には単に「硬貨」という。また、紙幣は、千円札、二千円札、五千円札、一万円札、識別の必要な紙葉類、例えば有価証券等を広く含む概念である。本実施の形態では、紙幣は、千円札、二千円札、五千円札、一万円札の場合で説明する。なお、これらを特に区別しない場合には単に「紙幣」という。カード状の媒体は、例えば、メダルや硬貨等の略円形状の媒体とは異なる略四角形状の媒体であり、典型的には、略長方形板状の媒体である。本実施の形態では、カード状の媒体は、乗車券や回数券等のエドモンソン券、大型券、定期券やプリペードカード等のＰＥＴ券、ＩＣカードの場合で説明する。なお、これらを特に区別しない場合には単に「カード」という。
【００１７】
接客部１０は、筐体２０のいずれか１つの面に形成されている。例えば、利用者は、接客部１０に対向して取り引き、すなわち乗車券等の購入を行う。接客部１０は、次に説明する表示操作部１００、硬貨投入口１２、紙幣投入放出口１３、カード投入放出口１４、硬貨放出口１５、発券口１６、硬貨を貯留する硬貨受皿１７を含んで構成される。
【００１８】
硬貨投入口１２は、硬貨を投入するためのものであり、硬貨処理装置３１の投入部（不図示）に連通されている。硬貨投入口１２から投入された硬貨は、投入部（不図示）を介して硬貨処理装置３１内部に取り込まれる。硬貨処理装置３１は、硬貨投入口１２から投入された硬貨を識別、計数した後に内部に収納する。
【００１９】
紙幣投入放出口１３は、紙幣を紙幣処理装置３２に導入するとともに紙幣処理装置３２によって処理される紙幣を放出するためのものであり、紙幣処理装置３２に連通されている。紙幣処理装置３２は、紙幣投入放出口１３から挿入された紙幣を識別、計数した後に内部に収納する。
【００２０】
カード投入放出口１４は、カードをカード処理装置３３に挿入するとともにカード処理装置３３によって処理されるカードを放出するためのものであり、カード処理装置３３に連通されている。カード処理装置３３は、カード投入放出口１４から挿入されたカードを識別、残額検出した後に、内部に保留する。
【００２１】
硬貨放出口１５は、硬貨処理装置３１から放出される釣銭を筐体２０内部から筐体２０外部の硬貨受皿１７に放出するものであり、硬貨処理装置３１の出金部（不図示）に連通されている。硬貨受皿１７は、硬貨放出口１５を介して放出される釣銭等を一時的に貯留する。
【００２２】
発券口１６は、発券装置５０により発券される乗車券等を放出するものであり、発券装置５０に連通されている。
【００２３】
表示操作部１００は、利用客による種々の選択、操作を受け付け、さらに、利用者に対して、例えば発売中、発売中止などの情報、取り引き金額、釣銭金額等の取り引き情報等を提供するものである。表示操作部１００は、識別可能な第１の識別情報（図２参照）と、該第１の識別情報とは異なる第２の識別情報（図２参照）とを対にして画像表示する表示面１１１ａ（図２参照）と、表示面１１１ａを覆う保護部材１１２（図２参照）とを含んで構成される表示手段としての表示部１１０と、表示部１１０に重ならないように隣接して配設され、第１の識別情報が表示された選択手段としての押しボタン１２０とを備える。さらに、自動券売機１は、第１の識別情報と第２の識別情報とを関連づけて記憶する記憶手段としての記憶部７０と、押しボタン１２０で選択される第１の識別情報に基づいて第２の識別情報を記憶部７０から読み出す制御手段としての上述した制御部６０とを備える。
【００２４】
図２は、本発明の実施の形態に係る自動券売機１の表示部１１０の構成を示す図である。図２（ａ）は、表示部１１０の部分断面図、図２（ｂ）は、表示部１１０に対で表示される第１の識別情報、第２の識別情報について説明するための図である。表示部１１０は、利用者が乗車券等を購入する際に対向する側（図２（ａ）紙面に向かって上側）から、以下の順序で配置された、蓋体１１３、保護部材１１２、スペーサ１１４、画像を表示するディスプレイとしての液晶ディスプレイ１１１とを含んで構成される。また、表示部１１０は、後述する制御部６０（図５参照）に接続されており、表示制御されている。
【００２５】
蓋体１１３は、枠部１１３ａを含んで構成される。蓋体１１３には、枠部１１３ａに囲まれた矩形の開口部１１３ｂが形成されている。蓋体１１３の図中、上側が接客面（利用者が乗車券等を購入する際に対向する面）である。蓋体１１３の下側面（接客面の反対側）には、液晶ディスプレイ１１１の表示面１１１ａを覆う保護部材１１２が蓋体１１３の枠部１１３ａに密着して配置されている。保護部材１１２は、液晶ディスプレイ１１１の表示面１１１ａを接客面側から覆うように配設される。言い換えれば、保護部材１１２は、利用者が乗車券等を購入する際に、利用者と表示面１１１ａとの間に位置するように配設される。保護部材１１２は、透明で剛性を有する材料により形成されており、本実施の形態では、アクリル板により形成されている。保護部材１１２の剛性については後述する。
【００２６】
保護部材１１２の下側面（蓋体１１３とは反対側）には、スペーサ１１４が取り付けられている。スペーサ１１４は、枠部１１４ａを含んで構成される。スペーサ１１４には、枠部１１４ａに囲まれた、矩形の開口部１１４ｂが形成されている。スペーサ１１４の枠部１１４ａの下側面（保護部材１１２とは反対側）には、表示面１１１ａを有する液晶ディスプレイ１１１が取り付けられる。液晶ディスプレイ１１１は、略板状形状を有する。開口部１１３ｂ、開口部１１４ｂは、ほぼ同様の形状、大きさを有し、開口部１１３ｂ、保護部材１１２、開口部１１４ｂの順で重なり合い、利用者が、表示面１１１ａを視認することができるように配置されている。保護部材１１２は、表示面１１１ａを覆って保護しているので、利用者が表示面１１１ａに接触しようとした場合、指先は表示面１１１ａに接触する前に、保護部材１１２に接触して規制される。
【００２７】
ここで、保護部材１１２が剛性を有すると言う場合、スペーサ１１４により表示面１１１ａから間隔ｄをあけて配設される保護部材１１２を、接客面側から強く押した際に、撓んで表示面１１１ａに接触しない程度に剛性を有していればよい。このように構成することで、表示部１１０に接客面側から強い力が加わっても液晶ディスプレイ１１１が破壊することを防止することができる。
【００２８】
ここで、保護部材１１２と表示面１１１ａとの間隔ｄは、例えば、５ｍｍから１５ｍｍ程度、好ましくは７ｍｍから１３ｍｍ程度とすると良い。ここでは、間隔ｄは、１０ｍｍ程度とする。また、保護部材１１２の厚さｔは、例えば、３ｍｍから８ｍｍ程度、好ましくは４ｍｍから７ｍｍ程度とすると良い。ここでは、厚さｔは、５ｍｍ程度とする。間隔ｄは、保護部材１１２に力が加わった際に表示面１１１ａに接触させないと言う観点からはできるだけ大きい方がよいが、大きくしすぎると利用者に対する表示面１１１ａの視認性が悪くなる。同様に、厚さｔは、保護部材１１２ができるだけ撓まないようにすると言う観点からはできるだけ厚い方がよいが、厚くしすぎると利用者に対する表示面１１１ａの視認性が悪くなる。また、間隔ｄ、厚さｔを許容される範囲で小さくすることは、表示部１１０のコンパクト化に資することにもなる。
【００２９】
なお、液晶ディスプレイ１１１は、液晶ディスプレイ自体に付属するアクリル製の不図示の保護部材により表示面１１１ａが覆われているものがある。この場合、当該付属する保護部材を保護部材１１２の代わりとしてもよい。要するに表示面１１１ａを覆う保護部材を備えていればよい。なお、この場合も、前記付属する保護部材と表示面１１１ａとの間隔を上述したように十分に設ける、あるいは、十分に設けられた液晶ディスプレイを用いるとよい。
【００３０】
図２（ｂ）は、表示部１１０に対で表示される第１の識別情報、第２の識別情報の一例について示す図である。ここでは、第１の識別情報は、例えば、数字、アルファベット、ひらがな・かたかな等の文字、アイコン・絵文字等の画像、その他識別することのできる情報である。本実施の形態では、第１の識別情報は、「１」、「２」、「３」・・・といったような数字とする。第２の識別情報は、第１の識別情報とは異なる情報であり、典型的には、自動券売機１での取り引きに応じた情報である。本実施の形態では、「１３０円」、「１６０円」、「１９０円」・・・といったような自動券売機１で取り引きされる乗車券等の料金に対応した金額の情報である金額情報を含む。表示部１１０は、表示面１１１ａに、図２（ｂ）に示すように、第１の識別情報（数字）と、第２の識別情報（金額情報）とを対にして、すなわち、１組として画像表示する。言い換えれば、第１の識別情報（数字）と第２の識別情報（金額情報）とは、一対一で対応している。第１の識別情報（数字）と第２の識別情報（金額情報）との対は、本実施の形態では、複数個画像表示される。
【００３１】
図３は、本発明の実施の形態に係る自動券売機１の表示操作部１００を示す正面図である。本図は、表示部１１０の表示面１１１ａに表示される画像の表示態様の一例を示す図である。なおここで、正面とは、利用者が乗車券等を購入する際に対面する側の面である。
【００３２】
上述したように、第１の識別情報（数字）と第２の識別情報（金額情報）との対は、表示部１１０の表示面１１１ａに複数個画像表示される。本実施の形態では、第１の識別情報と第２の識別情報との対は、８行５列のマトリクス状に画像表示される。具体的には、利用者が接客面（利用者が乗車券等を購入する際に対向する面）の前に接客面に向いて立った場合、第１の識別情報は一つの段では左端から右端へ、右端からさらに下段の左端へと移るに従い、「１」、「２」、「３」・・・というように順次増加するように画像表示される。第２の識別情報も、同様に、第１の識別情報と対応して、一つの段では左端から右端へ、右端からさらに下段の左端へと移るに従い、「１３０円」、「１６０円」、「１９０円」・・・というように順次増加するように画像表示される。
【００３３】
なお、ここでは、第１の識別情報（数字）と第２の識別情報（金額情報）との対は、８行５列のマトリクス状に画像表示されるものとして説明するが、表示される第１の識別情報と第２の識別情報との組み合わせの数等に応じて適宜変更すればよい。また、第１の識別情報と第２の識別情報の並び方についても適宜変更すればよい。
【００３４】
押しボタン１２０は、上述したように、表示部１１０に重ならないように隣接して配設される。ここで、押しボタン１２０が表示部１１０に重ならないように配設されると言う場合、典型的には、接客面（利用者が乗車券等を購入する際に対向する面）に向かって奥行き方向に表示部１１０と重ならないように配設されることをいう。これにより、例えば、利用者が押しボタン１２０を押下した際に、故意に、あるいは誤って強く押しすぎて表示部１１０を破壊してしまうことがない。また、押しボタン１２０が表示部１１０に隣接して配設されると言う場合、典型的には、表示部１１０で画像表示される情報を視認しながら、あるいは、視認した後に、押しボタン１２０を押下する際に、利用者に煩わしさを与えない程度に隣接していればよく、ここでは、表示部１１０が形成されている平面上、すなわち、接客面の表示部１１０に向かって左側に配設されている。
【００３５】
押しボタン１２０は、表示部１１０の左側に複数個配設されている。押しボタン１２０は、本実施の形態では、１０行４列のマトリクス状に複数配設されている。複数の押しボタン１２０には、それぞれ異なる第１の識別情報（数字）が表示されている。なお、ここでは、押しボタン１２０は、１０行４列のマトリクス状に配設されるものとして説明するが、表示部１１０に表示される第１の識別情報と第２の識別情報（金額情報）との組み合わせの数等に応じて適宜変更すればよい。
【００３６】
各押しボタン１２０は、透明な部材で形成されるボタンと、当該ボタンの背面に配設されるＬＥＤを用いた７セグメントＬＥＤと、押しボタン１２０が押下されたことを検出するセンサを備えている。各押しボタン１２０のセンサは後述する制御部６０（図５参照）に接続されており、押下された際に、それぞれ検出信号を制御部６０に送信する。
【００３７】
７セグメントＬＥＤは、各押しボタン１２０毎に異なる第１の識別情報（数字）を表示する。ここでは、複数の７セグメントＬＥＤに表示される複数の第１の識別情報は、表示部１１０に表示される第１の識別情報と同一、あるいは少なくとも表示部１１０に表示される第１の識別情報を含んでいる。７セグメントＬＥＤにより各押しボタン１２０毎に表示される第１の識別情報は一つの列では上段から下段へ、下段からさらに右の列の上段へと移るに従い、「１」、「２」、「３」・・・というように順次増加するように表示される。
【００３８】
なお、ここでは、各押しボタン１２０は、７セグメントＬＥＤにより第１の識別情報（数字）を表示するものとして説明するが、例えば、第１の識別情報を紙等に印刷して、当該印刷された紙をボタンの裏側から張り付けることで、第１の識別情報（数字）を表示してもよい。また、７セグメントＬＥＤの代わりにＰＩＣＴ画像等を表示する画像表示装置を用いても良い。７セグメントＬＥＤにより第１の識別情報を表示する場合、本実施の変形例として後述するように、第１の識別情報を書き換え可能なように構成した場合に、各押しボタン１２０の表示を容易に変更することができる。紙等に印刷を施すことにより第１の識別情報を表示する場合、より簡易な構成の自動券売機１とすることができ、コストを低く押さえることができる。ＰＩＣＴ画像等を表示する画像表示装置により第１の識別情報を表示する場合、第１の識別情報に絵文字や記号等を用いることができるという利点がある。以下の説明では、上述したように、７セグメントＬＥＤにより第１の識別情報を表示する場合で説明する。また、押しボタン１２０の並び方は、第１の識別情報の数等に応じて適宜変更すればよい。
【００３９】
なお、自動券売機１は、押しボタン１２０の近くに、例えば、「大人料金」と「小人料金」とを切り換える場合、他社連絡乗車券を購入する場合、あるいは複数枚の乗車券を購入する場合、表示部１１０に表示される画像が階層的である場合（例えば、次ページがある場合）等に押下操作されるファンクションボタン（不図示）を備えていても良い。
【００４０】
図１に戻って、係員操作部４０は、筐体２０の表示操作部１００が形成されている面の反対側の面に形成されており、液晶画面などとタッチパネルが組み合わされた表示操作装置４０ａ、押しボタン４０ｂを含んで構成され、係員による種々の処理の入力を受け付ける。タッチパネルは、液晶画面に表示される各種情報を選択するための手段であり、例えば、抵抗膜方式、赤外線式、静電容量式などが用いられ、表面に触れることで信号を入力する装置である。係員操作部４０は、後述する制御部６０に接続されており、係員操作部４０からの入力により、例えば、所定の口座の乗車券の発売の禁止等をすることができる。
【００４１】
なお、係員操作部４０は、表示操作部１００と同様に、タッチパネルを備えない構成としても良いが、通常、係員操作部４０は、特定の係り員により操作されるものであり、タッチパネルが強く押されすぎたり、あるいは故意に破壊されるということは考えにくいため、本実施の形態のようにタッチパネルを用いた係員操作部としても問題はない。
【００４２】
図４は、本発明の実施の形態に係る自動券売機１の接客部１０の外観斜視図である。接客部１０は、利用者が対向したときに操作がし易いように、鉛直方向に対して若干傾きを有して形成されている。表示操作部１００は、接客部１０のおよそ中央の利用者が目視しやすい位置に配設される。硬貨投入口１２は、表示操作部１００の下方右側（図４において接客部１０に対面した際の下方右側、以下同様。）に配設される。紙幣投入放出口１３は、表示操作部１００の下方であって、硬貨投入口１２の左側に配設される。カード投入放出口１４は、表示操作部１００の下方左側に配設される。すなわち、硬貨投入口１２、紙幣投入放出口１３、カード投入放出口１４は、表示操作部１００の下方に、向かって右側から硬貨投入口１２、紙幣投入放出口１３、カード投入放出口１４の順でほぼ水平に並ぶように配設されている。
【００４３】
さらに、発券口１６はカード投入放出口１４の下方に配設され、硬貨受皿１７は紙幣投入放出口１３の下方に配設されている。硬貨受皿１７は、くぼみ状に形成されており、当該硬貨受皿１７の右側の隔壁１０ａに硬貨放出口１５が形成されている。硬貨受皿１７は、硬貨放出口１５側からその反対側に向かって、水平方向に対して３０°程度の傾斜を有する部分を備えている。さらに、硬貨受皿１７には、該傾斜する部分を略平行に覆うシュートカバー１５ａが配設されている。硬貨処理装置３１（図１参照）の出金部（不図示）から放出される硬貨は、該傾斜する部分とシュートカバー１５ａとによって、略筒状に画成された空間を介して硬貨受皿１７に放出される。
【００４４】
図５は、本発明の実施の形態に係る自動券売機１の概略構成を示すブロック図である。自動券売機１は、上述したように、第１の識別情報（数字）と第２の識別情報（金額情報）とを関連づけて記憶する記憶部７０と、押しボタン１２０で選択される第１の識別情報に基づいて第２の識別情報を記憶部７０から読み出す制御部６０とを備える。
【００４５】
記憶部７０は、ハードディスクやシリコンディスク（Ｓｉｌｉｃｏｎ  Ｄｉｓｋ）等の種々の記憶装置を用いればよい。シリコンディスクは、記憶メディアに磁気ディスクではなく、半導体メモリを使って作られたディスクドライブであり、半導体メモリを使って磁気ディスクのような動作をする装置である。ソフト上はディスクと同じだが、構造上はメモリなので極めて高速に読み書きすることができる。シリコンディスクには、例えば、ＳＳＤ（Ｓｏｌｉｄ  Ｓｔａｔｅ  Ｄｉｓｋ）やＤＯＭ（Ｄｉｓｋ  Ｏｎ  Ｍｏｄｕｌｅ）等がある。ここでは、記憶部７０は、ＳＳＤを用いることとする。
【００４６】
記憶部７０は、第１の識別情報（数字）と第２の識別情報（金額情報）とを一対一で関連づけて記憶する。具体的には、記憶部７０は、図３で上述した例でいうと、第１の識別情報としての「１」と第２の識別情報としての「１３０円」、同様に「２」と「１６０円」、「３」と「１９０円」・・・というように関連づけて記憶する。さらに、記憶部７０は、制御部６０に接続されている。
【００４７】
さらに、記憶部７０は、記憶部７０に記憶される第２の識別情報（金額情報）を書き換え可能に構成される。例えば、パソコンでデータを作成してコンパクトフラッシュ（登録商標）（Ｃｏｍｐａｃｔ  Ｆｌａｓｈ）に当該データを記憶させ記憶部７０（ＳＳＤ）にコンパクトフラッシュ（登録商標）（ＣＦ）のデータを記憶させることで第２の識別情報を書き換えることができる。
【００４８】
制御部６０は、自動券売機１の各部を制御するものであり、ここでは、電源装置と一体に構成されている。制御部６０は、例えば、ＣＰＵを含んで構成され、当該ＣＰＵをつかさどるプログラムを実行することによって各部を制御し、必要な動作を行うように構成されている。
【００４９】
制御部６０には、上述したように表示操作部１００を構成する複数の押しボタン１２０のセンサ（不図示）が接続されており、制御部６０は、押しボタン１２０が押下された際に、各押しボタン１２０に応じた検出信号を受信する。さらに、制御部６０は、検出信号を受信すると、各押しボタン１２０で選択される第１の識別情報（数字）に基づいて、当該選択された第１の識別情報に関連づけて記憶されている第２の識別情報（金額情報）を記憶部７０から読み出すように構成される。具体的には、制御部６０は、第２の識別情報を記憶部７０から読み出す際には、少なくとも金額情報を読み出すように構成される。なお、ここで、少なくとも金額情報を読み出すとしたのは、例えば、図７で後述する変形例のように、第２の識別情報が、以上で説明してきた金額情報とは異なる行き先情報を含む場合があるが、このような場合でも、本実施の形態に係る自動券売機１では、少なくとも乗車券等の取り引きに必要な情報である金額情報を読み出す必要があるからである。
【００５０】
例えば、第１の識別情報（数字）として「５」が表示されている押しボタン１２０が押下され選択された場合、制御部６０は「５」が表示されている押しボタン１２０から検出信号を受信する。さらに、制御部６０は、記憶部７０に第１の識別情報としての「５」に関連づけて記憶されている、第２の識別情報としての「２５０円」（図３参照）という金額情報を読み出す。制御部６０は、読み出した金額情報、すなわち、「２５０円」に応じて以降の取り引きを実行する。すなわち、利用客による入力に応じて購入する乗車券等の口座、すなわち金額情報が確定される。
【００５１】
なお上述したように、制御部６０には表示部１１０が接続されており、当該表示部１１０の画像表示を制御している。ここでは、制御部６０は、押しボタン１２０が押下操作された際に、押しボタン１２０により選択された第１の識別情報（数字）、及び、選択された第１の識別情報（数字）に応じて記憶部７０から読み出した第２の識別情報（金額情報）を表示部１１０に送信し、当該送信された情報を画像表示するように表示部１１０を制御するように構成される。これにより、自動券売機１で実行される取り引きの内容を利用者に確認させることができる。
図６は、押しボタン１２０が押下された際の表示操作部１００での表示態様の一例を示す図である。ここでは、上述したように、第１の識別情報（数字）として「５」が表示されている押しボタン１２０が押下され選択された場合で図示している。
【００５２】
また、硬貨処理装置３１の制御装置３１ａ、紙幣処理装置３２の制御装置３２ａ、カード処理装置３３の制御装置３３ａは制御部６０に接続され、硬貨、紙幣、カードが投入あるいは挿入されると、投入あるいは挿入された硬貨、紙幣、カードのデータを制御部６０に送信する。さらに、制御部６０には、係員操作部４０が接続され、係員の種々の操作に応じて種々の制御を行う。
【００５３】
また、制御部６０には発券装置５０の制御装置５０ａが接続されており、発券装置５０は、制御部６０の指令に基づき、読み出した金額情報に対応する乗車券を印刷し、発券口１６から乗車券等を発券する。読み出した金額情報に基づいて取引の内容に応じて釣銭があるときは、硬貨処理装置３１、紙幣処理装置３２は、制御部６０の指令に基づき、釣銭を硬貨放出口１５、紙幣投入放出口１３から放出する。カードが使用された場合には、カード処理装置３３は、制御部６０の指令に基づき、カードをカード投入放出口１４に戻し、カード投入放出口１４から所定の長さだけ突き出て、利用者に返却される。
【００５４】
次に、図１及び図５を参照して本発明の実施の形態に係る自動券売機１の動作について説明する。まず、自動券売機１は、不図示のセンサにより自動券売機１の前に人がいるかどうか検知する。自動券売機１の前に人がいる場合は、制御部６０は記憶部から第１の識別情報（数字）と第２の識別情報（金額情報）とを対にしたデータを読み出し、表示部１１０に表示する（図３参照）。
【００５５】
次に、例えば、利用者が第１の識別情報（数字）として「５」が表示されている押しボタン１２０を押下し、選択すると、記憶部７０から第１の識別情報「５」に対応する第２の識別情報である金額情報「２５０円」を呼び出し、表示部１１０に表示する（図６参照）。
【００５６】
続いて、自動券売機１は、利用者による貨幣の投入を受け付ける。制御部６０は、投入された貨幣の合計金額を算出し、当該合計金額と先程読み出された金額情報（例えば「２５０円」）とを比較して、一致している場合、又は合計金額が多い場合には、発券口１６から購入された乗車券等を放出する。合計金額と読み出された金額情報とが一致している場合には自動券売機１での取り引きを終了する。読み出された金額情報よりも合計金額が多い場合には、釣銭等を放出し、自動券売機１での取り引きを終了する。
【００５７】
以上で説明した本発明の実施の形態に係る自動券売機１によれば、自動券売機１は、表示部１１０の表示面１１１ａを覆う保護部材１１２を備え、表示面１１１ａに画像表示される情報を選択する複数の押しボタン１２０は、表示部１１０に重ならないように隣接して配設されるので、良好な操作性を維持しつつ、破壊の可能性の少ない構造を有する自動券売機を提供することができる。例えば、乗車券の購入の際に表示面１１１ａを強く押しつけたり、悪戯により液晶ディスプレイ１１１の表示面１１１ａが破壊されることがない。また、万が一、液晶ディスプレイ１１１が破壊されてしまった場合でも、例えば、液晶ディスプレイに重なるように配設されるタッチパネルにより、液晶ディスプレイに表示する情報を選択する従来の構造の取引装置と比較して、液晶ディスプレイとともにタッチパネル等も併せて交換する必要がない分、安価に修繕することができる。
【００５８】
さらに、以上で説明した本発明の実施の形態に係る自動券売機１によれば、表示部１１０に対をなす第１の識別情報（数字）と第２の識別情報（金額情報）の組み合わせを複数画像表示し、押しボタン１２０に第１の識別情報として数字を表示することで、例えば、押しボタンの背面側に乗車券の料金（本実施の形態の第２の識別情報に相当）を表示する従来の構造の取引装置と比較して、押しボタンを小さくすることができ、これにより、表示部１１０の表示面１１１ａを大きくすることができる。また、言い換えれば、表示部１１０の大きさを変えることなくより多くの押しボタン１２０を配置できる。これは、例えば、従来の構造の取引装置では、押しボタンの背面側に配設される７セグメントＬＥＤに金額が表示されていたため、４桁の金額を表示する場合、４桁の７セグメントＬＥＤが必要であった。しかし、本実施の形態の自動券売機１では、２桁の７セグメントＬＥＤにすることができ、ＬＥＤの幅を半分にすることができる。なお、この場合、７セグメントＬＥＤの数字表示は０１〜９９まで表示可能である。
【００５９】
さらに、以上で説明した本発明の実施の形態に係る自動券売機１によれば、記憶部７０に記憶される第２の識別情報（金額情報）は書き換え可能であることから、例えば、運賃改正のときには、記憶されている第２の識別情報を書き換えるだけで良い。
【００６０】
なお、本発明の実施の形態に係る取引装置は、上述した実施の形態に限定されず、特許請求の範囲に記載された範囲で種々の変更が可能である。以上の説明では、取引装置としての自動券売機１は、第２の識別情報として金額情報を含むもの説明したが、第２の識別情報として上述した金額情報及び行き先を示す行き先情報を含むものとしてもよい。
【００６１】
図７は、本発明の実施の形態に係る自動券売機１の変形例を示す図である。ここで、行き先情報は、金額情報に対応する行き先を示す情報、言い換えれば着駅情報である。この場合、表示部１１０は、第１の識別情報としての数字と第２の識別情報としての金額情報及び行き先情報を対にして画像表示する。例えば、本図に示すように、第１の識別情報としての「１」の右側に第２の識別情報としての金額情報及び行き先情報を、下段に金額情報、上段に行き先情報となるように表示すればよい。
【００６２】
このように構成すると、表示部１１０に第１の識別情報としての数字と、当該第１の識別情報としての数字に対応する第２の識別情報としての金額情報及び行き先情報を表示するので、表示部１１０等とは別に掲載されている案内板等（通常、自動券売機の上方に掲げられている。）で着駅（行き先）の料金を確認する必要がないため、利用者に煩わしさを感じさせることがない。
【００６３】
この場合、制御部６０は、押しボタン１２０が押下操作された際には、図６で上述した実施の形態と同様に、押しボタン１２０により選択された第１の識別情報（数字）、及び、選択された第１の識別情報に応じて記憶部７０から読み出した第２の識別情報としての金額情報を表示部１１０に送信し、当該送信された情報を画像表示するように表示部１１０を制御すればよい。これにより、自動券売機１で実行される取り引きの内容を利用者に確認させることができる。なお、ここで、第２の識別情報として金額情報とともに、行き先情報も読み出して表示部１１０に表示しても良いことは言うまでもない。また、図７で示した表示態様では、金額情報を表示しないように構成してもよい。この場合も、押しボタン１２０が押下操作された後に、図６で示した表示態様に移行した際に、取り引きの内容を確認することができる。
【００６４】
なお、以上のように、第２の識別情報が金額情報及び行き先情報を含み、図７で示したように、第１の識別情報としての数字と第２の識別情報としての金額情報及び行き先情報を複数組画像表示する場合、１ページ分の画像表示ではおさまらない場合がある。この場合、上述したように、押しボタン１２０の近くに、押下操作されることで次ページに移行するファンクションボタン（不図示）を配設すればよい。あるいは、まず、第１の識別情報としての数字と、第２の識別情報としてのひらがなの頭文字の対を表示しておき、押しボタン１２０で所望の行き先（着駅）のひらがな頭文字に対応する第１の識別情報としての数字を選択した後に、当該頭文字に該当する第１の識別情報としての数字と第２の識別情報としての金額情報及び行き先情報の対を表示するように構成してもよい。
【００６５】
また、以上の説明では、表示手段としての表示部１１０は、表示面１１１ａを有する液晶ディスプレイ１１１を含んで構成されるものとして説明したが、表示面１１１ａを有するものであれば、ブラウン管ディスプレイ、プラズマディスプレイ等であってもよい。また、保護部材１１２は、少なくとも表示面１１１ａを覆っていればよく、例えば、押しボタン１２０の部分を除いた表示操作部１００全体を覆っていてもよい。
【００６６】
さらに、以上の説明では、押しボタン１２０により所望の乗車券に対応した金額を予め選択した後に、貨幣の投入を受け付け取り引きする構成として説明したが、貨幣の投入を受け付けた後に、押しボタン１２０により所望の乗車券に対応した金額を選択し、取り引きする構成としてもよい。
【００６７】
また、以上の説明では、記憶部７０は、記憶部７０に記憶される第２の識別情報（金額情報）を書き換え可能に構成されるものとして説明したが、第２の識別情報と同様に、
第１の識別情報も書き換え可能なように構成しても良い。
【００６８】
なお、以上の説明では、本発明に係る取引装置は、自動券売機である場合で説明したが、これに限らず、ＡＴＭ、ジュース等の自動販売機、その他種々の取引装置に適用することができる。この場合、第２の識別情報は、上述した金額情報、行き先情報等に限らず、例えば、取引先情報や銘柄情報、その他、第１の識別情報とは異なる情報であり、取引装置での取り引きに用いられる情報であればなんでもよい。
【図面の簡単な説明】
【００６９】
【図１】本発明の実施の形態に係る自動券売機の外観図である。
【図２】本発明の実施の形態に係る自動券売機の表示部の構成を示す図である。
【図３】本発明の実施の形態に係る自動券売機の表示操作部を示す正面図である。
【図４】本発明の実施の形態に係る自動券売機の接客部の外観斜視図である。
【図５】本発明の実施の形態に係る自動券売機の概略構成を示すブロック図である。
【図６】本発明の実施の形態に係る自動券売機の押しボタンが押下された際の表示操作部の表示態様を示す正面図である。
【図７】本発明の実施の形態に係る自動券売機の変形例を示す図である。
【符号の説明】
【００７０】
１    自動券売機
１０    接客部
１２    硬貨投入口
１３    紙幣投入放出口
１４    カード投入放出口
１５    硬貨放出口
１６    発券口
１７    硬貨受皿
２０    筐体
３０    貨幣処理装置
３１    硬貨処理装置
３２    紙幣処理装置
３３    カード処理装置
４０    係員操作部
５０    発券装置
６０    制御部
７０    記憶部
１００    表示操作部
１１０    表示部
１１１    液晶ディスプレイ
１１１ａ    表示面
１１２    保護部材
１２０    押しボタン
【図１】
2007065845.tif 000003
【図２】
2007065845.tif 000004
【図３】
2007065845.tif 000005
【図４】
2007065845.tif 000006
【図５】
2007065845.tif 000007
【図６】
2007065845.tif 000008
【図７】
2007065845.tif 000009